(57)【特許請求の範囲】
【請求項１】
第１及び第２側壁と、第１及び第２端壁と、底部とにより画定されて開口された容器を構成し、前記底部上であって前記第２端壁の傍らに配置された段差を有する槽体と、
前記容器の内面の溝と、該溝に挿入される移動可能なフラッシュボードと、前記溝と前記フラッシュボードとの間に設けられる水密性リングと、を含み、前記第１端壁となるフラッシュボードゲートと、
直方体形状であり、前記直方体の幅が前記容器の幅より小さく、前記直方体の高さが前記段差に座る入浴者の脚から前記容器の上部までの距離より小さい容積減少チャンクであって、外部へ延伸した二つのハンギングアームを有し、各ハンギングアームが溝を有し、該溝が前記容器の前記第１及び第２側壁上に位置することによって前記容器内に掛けられる容積減少チャンクと、
前記容積減少チャンクを前記容器にロックし、またはロックを解除して前記容器から前記容積減少チャンクを分離するロック解除装置と、
を備え、
前記容積減少チャンクの直方体は、軽量化のため中空であることを特徴とする移動式節水・省エネ浴槽。
【請求項２】
前記容器は、直方体形状であり、前記フラッシュボードゲートは、矩形であることを特徴とする請求項１に記載の移動式節水・省エネ浴槽。
【請求項３】
第１及び第２側壁と、第１及び第２端壁と、底部とにより画定されて開口された容器を構成し、前記底部上であって前記第２端壁の傍らに配置された段差を有する槽体と、
前記容器の内面の溝と、該溝に挿入される移動可能なフラッシュボードと、前記溝と前記フラッシュボードとの間に設けられる水密性リングと、を含み、前記第１端壁となるフラッシュボードゲートと、
直方体形状であり、前記直方体の幅が前記容器の幅より小さく、前記直方体の高さが前記段差に座る入浴者の脚から前記容器の上部までの距離より小さい容積減少チャンクであって、外部へ延伸した二つのハンギングアームを有し、各ハンギングアームが溝を有し、該溝が前記容器の前記第１及び第２側壁上に位置することによって前記容器内に掛けられる容積減少チャンクと、
前記容積減少チャンクを前記容器にロックし、またはロックを解除して前記容器から前記容積減少チャンクを分離するロック解除装置と、
を備え、
前記容器は、直方体形状であり、前記フラッシュボードゲートは、等脚台形であることを特徴とする移動式節水・省エネ浴槽。
【請求項４】
第１及び第２側壁と、第１及び第２端壁と、底部とにより画定されて開口された容器を構成し、前記底部上であって前記第２端壁の傍らに配置された段差を有する槽体と、
前記容器の内面の溝と、該溝に挿入される移動可能なフラッシュボードと、前記溝と前記フラッシュボードとの間に設けられる水密性リングと、を含み、前記第１端壁となるフラッシュボードゲートと、
直方体形状であり、前記直方体の幅が前記容器の幅より小さく、前記直方体の高さが前記段差に座る入浴者の脚から前記容器の上部までの距離より小さい容積減少チャンクであって、外部へ延伸した二つのハンギングアームを有し、各ハンギングアームが溝を有し、該溝が前記容器の前記第１及び第２側壁上に位置することによって前記容器内に掛けられる容積減少チャンクと、
前記容積減少チャンクを前記容器にロックし、またはロックを解除して前記容器から前記容積減少チャンクを分離するロック解除装置と、
を備え、
前記容器は、直方体形状であり、前記フラッシュボードゲートは、矩形であり、前記矩形のフラッシュボードの横断面は、前記容器内に向かって凸状となることを特徴とする移動式節水・省エネ浴槽。
【請求項５】
前記容積減少チャンクの前記ハンギングアームの溝の幅は、前記容器の前記第１及び第２側壁の幅より大きいことを特徴とする請求項２に記載の移動式節水・省エネ浴槽。
【請求項６】
第１及び第２側壁と、第１及び第２端壁と、底部とにより画定されて開口された容器を構成し、前記底部上であって前記第２端壁の傍らに配置された段差を有する槽体と、
前記容器の内面の溝と、該溝に挿入される移動可能なフラッシュボードと、前記溝と前記フラッシュボードとの間に設けられる水密性リングと、を含み、前記第１端壁となるフラッシュボードゲートと、
直方体形状であり、前記直方体の幅が前記容器の幅より小さく、前記直方体の高さが前記段差に座る入浴者の脚から前記容器の上部までの距離より小さい容積減少チャンクであって、外部へ延伸した二つのハンギングアームを有し、各ハンギングアームが溝を有し、該溝が前記容器の前記第１及び第２側壁上に位置することによって前記容器内に掛けられる容積減少チャンクと、
前記容積減少チャンクを前記容器にロックし、またはロックを解除して前記容器から前記容積減少チャンクを分離するロック解除装置と、
を備え、
前記第１及び第２側壁の上部に溝が設けられ、該溝の幅が前記容積減少チャンクの前記ハンギングアームの幅より大きく、前記ハンギングアームが前記溝に容易に入り、前記ロック解除装置を正しく位置決めすることを特徴とする移動式節水・省エネ浴槽。
【請求項７】
前記ロック解除装置は、前記容積減少チャンクの側面に固定される第１部分と、前記容器の側面に固定される第２部分とを有し、前記第１部分と前記第２部分とを組み合わせると、前記容積減少チャンクは前記容器にロックされ、前記第１部分と前記第２部分とを離隔させると、前記容積減少チャンクは前記容器から分離されることを特徴とする請求項１に記載の移動式節水・省エネ浴槽。
【請求項８】
前記ロック解除装置は、スーツケースのスプリングラッチ、ドア及び窓の留め具、フック、一対のスコッチファスナーのいずれかであることを特徴とする請求項７に記載の移動式節水・省エネ浴槽。
【請求項９】
第１及び第２側壁と、第１及び第２端壁と、底部とにより画定されて開口された容器を構成し、前記底部上であって前記第２端壁の傍らに配置された段差を有する槽体と、
前記容器の内面の溝と、該溝に挿入される移動可能なフラッシュボードと、前記溝と前記フラッシュボードとの間に設けられる水密性リングと、を含み、前記第１端壁となるフラッシュボードゲートと、
直方体形状であり、前記直方体の幅が前記容器の幅より小さく、前記直方体の高さが前記段差に座る入浴者の脚から前記容器の上部までの距離より小さい容積減少チャンクであって、外部へ延伸した二つのハンギングアームを有し、各ハンギングアームが溝を有し、該溝が前記容器の前記第１及び第２側壁上に位置することによって前記容器内に掛けられる容積減少チャンクと、
前記容積減少チャンクを前記容器にロックし、またはロックを解除して前記容器から前記容積減少チャンクを分離するロック解除装置と、
を備える移動式節水・省エネ浴槽であって、
前記容器の前記第１及び第２側壁はそれぞれ凸状の肩部を有し、前記移動式節水・省エネ浴槽が普通の浴槽内に設置される場合に、前記凸状の肩部は前記普通の浴槽の側壁上に配置されることを特徴とする移動式節水・省エネ浴槽。
【請求項１０】
シャワー室のシャワーヘッドの下に設置されることを特徴とする請求項１に記載の移動式節水・省エネ浴槽。
【請求項１１】
第１及び第２側壁と、第１及び第２端壁と、底部とにより画定されて開口された容器を構成する槽体と、
前記容器の内面の溝と、該溝に挿入される移動可能なフラッシュボードと、前記溝と前記フラッシュボードとの間に設けられる水密性リングと、を含み、前記第１端壁となるフラッシュボードゲートと、
を備え、
前記容器の形状は、直方体であり、前記フラッシュボードは、等脚台形であり、前記直方体の高さは、入浴者の肩までに達することを特徴とする移動式節水・省エネ浴槽。
【発明の詳細な説明】
【技術分野】
【０００１】
本発明は、入浴装置の分野に属する。より具体的には移動式節水・省エネ浴槽に関する。
【背景技術】
【０００２】
多くの家庭にシャワー室があるが、浴槽がない。このため、家庭で温浴の効能、例えば、疲労の解消、血液循環の促進、背中や筋肉の痛み解消などを享受することができない。多くの家庭に浴槽があるものの、浴槽を満たすには大量の湯が必要となるので、依然として温浴の効能を享受することができない。さらに、大量の湯を必要とすることは、水とエネルギーを大量に消耗することとなり、現在の環境保護の要求に合致していない。
【発明の概要】
【発明が解決しようとする課題】
【０００３】
本発明の目的は、移動式節水・省エネ浴槽を提供することである。この移動式節水・省エネ浴槽は、小さいシャワー室内や浴槽に便利に架設することができ、適切な量の湯で入浴することができる。このように、入浴するときに節水・省エネを実現することができる。入浴後、節水・省エネ浴槽内の汚水を容易に排出することができ、この浴槽は、収納室に容易に運ぶこともできる。節水・省エネを実現しているとともに、持ち運びに便利であるから、本発明の移動式節水・省エネ浴槽は野天風呂にも適用する。本発明の移動式節水・省エネ浴槽は適切な量の湯で温浴できる節約かつ便利な手段を提供する。同時に、水を節約し、環境保護にもよい。
【課題を解決するための手段】
【０００４】
本発明の目的は、下記のような思想によって実現される。
シャワー室または浴槽に用いる移動式節水・省エネ浴槽は、第１及び第２側壁と、第１及び第２端壁と、底部とにより画定されて開口された容器を構成し、底部上であって第２端壁の傍らに配置された段差を有する槽体を含む。第１端壁はフラッシュボードゲート（flashboard gate）となり、容器の内面の溝と、溝に挿入され、その溝の底部まで挿入される移動可能なフラッシュボード（flashboard）と、溝とフラッシュボードとの間に設けられる水密性リングとを含む。容積減少チャンク（reducing-volume-chunk）は直方体形状であり、直方体の幅が容器の幅より小さく、直方体の高さが段差に座る入浴者の脚から容器の上部までの距離より小さい容積減少チャンクであり、容積減少チャンクの上部は、外部へ延伸した二つのハンギングアーム（hanging arm）を有し、各ハンギングアームが溝を有する。上記溝が槽体の第１及び第２側壁上に位置することによって容積減少チャンクが容器内に掛けられる。ロック解除装置（locking-releasing-device）は容積減少チャンクを容器にロックし、またはロックを解除して、容器から容積減少チャンクを分離する。
【０００５】
その実施の形態としての移動式節水・省エネ浴槽は、容器内に段差がなく、容積減少チャンクとロック解除装置もない。入浴者は、内部に立って入浴できる。
【０００６】
入浴者は、フラッシュボードゲートから節水・省エネ浴槽に入り、それからフラッシュボードを溝に挿入し溝の底部まで押圧することによってフラッシュボードゲートを閉じる。それから段差に座り、容積減少チャンクの二つのアームを容器の第１、第２側壁の上部に置き、ロック解除装置を用いて容積減少チャンクと容器とをロックする。容器に入浴者の肩まで湯を入れる。その後、温浴を楽しむことができるようになる。温浴後に、入浴者はフラッシュボードを引き上げて湯を排出させ、それからロック解除装置を解除し、容積減少チャンクを取り除き、入浴者はフラッシュボードゲートから節水・省エネ浴槽を出る。
【０００７】
容器の体積は、普通の浴槽より大幅に小さい。温浴のために必要となる水の量は、容器の体積から容積減少チャンクを減じた体積である。したがって、大量な水を節約することができる。
【図面の簡単な説明】
【０００８】
【図１】本発明の移動式節水・省エネ浴槽の断面図である。
【図２】図１に示す移動式節水・省エネ浴槽の右側面図であり、数箇所は部分断面図である。
【図３】図１に示す移動式節水・省エネ浴槽の上面図である。
【図４】図１に示す移動式節水・省エネ浴槽の正面図である。
【図５】容積減少チャンクの正面図である。
【図６】容積減少チャンクの上面図である。
【図７】図２に示すＡ-Ａ矢視断面図である。
【図８】図２に示すＡ-Ａ矢視断面図であり、フラッシュボードの別の実施の形態が示されている。
【図９】図４に示すＢ-Ｂ矢視断面図である。
【図１０】図９に示すＦ-Ｆ矢視部分拡大断面図である。
【図１１】フラッシュボードゲートの別の実施の形態を示す正面図である。
【図１２】図１１に示すフラッシュボードゲートの断面図である。
【図１３】図４に示すスーツケース用スプリングラッチが採用されているロック解除装置１６の拡大図である。
【図１４】フックが採用されているロック解除装置１６の別の実施の形態を示す模式図である。
【図１５】一対のスコッチファスナーが採用されているロック解除装置１６の別の実施の形態を示す模式図である。
【図１６】ドアや窓の留め具が採用されているロック解除装置１６の別の実施の形態を示す模式図である。
【図１７】移動式節水・省エネ浴槽が普通の浴槽内にあることを示す模式図である。
【図１８】移動式節水・省エネ浴槽がシャワー室にあることを示す模式図である。
【図１９】移動式節水・省エネ浴槽の第２実施の形態を示す模式図である。
【発明を実施するための形態】
【０００９】
図１、２、３、及び４を参照する。本発明の移動式節水・省エネ浴槽（１）は、浴室や浴槽内に使用することができる。
【００１０】
移動式節水・省エネ浴槽（１）は、槽体（２）と、フラッシュボードゲート（３）と、容積減少チャンク（４）と、ロック解除装置（１６）とを備える。
【００１１】
槽体（２）は、第１、第２側壁（１３、１４）と、第１、第２端壁（３、１５）と、底部によって画定される開口された容器（２）である。第２端壁（１５）は、前記底部上に段差（２７）を有し、入浴者がその上に座る。第１端壁（３）は、フラッシュボードゲート（３）であり、容器（２）の内面にある溝（６）とフラッシュボード（５）とを含む。フラッシュボード（５）は、移動可能で、溝（６）に挿入される。水密性リング（７）は、溝（６）とフラッシュボード（５）との間に設けられる。フラッシュボード（５）は、溝（６）の底部まで挿入でき、または溝（６）から引き出すことができる。フラッシュボードゲート（３）は、矩形のものであり、矩形の溝（６）と矩形のフラッシュボード（５）とを有する。図８を参照すると、フラッシュボード（５）は、平らなものである。図７を参照すると、フラッシュボード（５）の横断面は、容器（２）の内部に凸状である。水密性リング（７）は、ゴムまたはプラスチックから製作される。
【００１２】
図１、４、５、及び６を参照すると、容積減少チャンク（４）は、直方体形状を有し、その幅が容器（２）の幅より小さく、その高さが容器（２）の段差（２７）に座る入浴者の足から容器（２）の上部までの距離より小さい。図５及び６に示すように、容積減少チャンク（４）の上部は、外へ延伸して二つのハンギングアーム（９、１０）を形成し、各ハンギングアームにそれぞれ溝（１１または１２）を有する。両溝（１１、１２）は、容器（２）の第１、第２側壁（１３、１４）上に位置する。したがって、容積減少チャンク（４）は、容器（２）内に掛けて、容器（２）の容量を減少させる。容積減少チャンク（４）は、木材またはプラスチックから作製でき、中空でもよい（図１、５、及び６を参照する）。
【００１３】
図４、９、１３、１４、１５、及び１６を参照すると、ロック解除装置（１６）は、容積減少チャンク（４）と容器（２）とをロックするか、ロックを解除して容積減少チャンク（４）を容器（２）から離隔させるためのものである。ロック解除装置（１６）は、容積減少チャンク（４）の側面に固定される第１部分（１９ａ、２１ａ、２２ａ）と、容器（２）の側面に固定される第２部分（１９ｂ、２１ｂ、２２ｂ）とを有する。第１部分と第２部分とをロックすると、容積減少チャンク（４）は容器（２）にロックされるが、第１部分を第２部分から離隔すると、容積減少チャンク（４）は容器（２）から分離される。ロック解除装置（１６）は、スーツケース用のスプリングラッチ（１８）、ドアや窓の留め具（２２ａ、２２ｂ）、フック（１９ａ、１９ｂ）、またはスコッチファスナー（scotch  fasteners）（２１ａ、２１ｂ）を使用できる。
【００１４】
図９及び１０を参照する。溝（２６）は、第１、第２側壁（１３、１４）の上部にある。溝（２６）の幅は、溝（２６）を収容する容積減少チャンク（４）の幅よりも僅かに大きい。したがって、容積減少チャンク（４）は、容易に正しい位置に固定されることができる。
【００１５】
図１７を参照する。容器（２）の第１、第２側壁（１３、１４）は、それぞれ凸状の肩部（２０）を有する。移動式節水・省エネ浴槽（１）は、普通の浴槽（３０）に置くことができ、二つの凸状の肩部（２０）が普通の浴槽（３０）の二つの側壁（３０）上に配置される。
【００１６】
図１８を参照する。移動式節水・省エネ浴槽（１）は、シャワー室にも使用することができ、シャワーの下に置けばよい。
【００１７】
入浴者は、フラッシュボードゲート（３）から節水・省エネ浴槽（１）に入り、フラッシュボード（５）を溝（６）に挿入し、フラッシュボード（５）を溝（６）の底部まで押圧するによって、フラッシュボードゲート（３）を閉める。それから段差（２７）に座り、容積減少チャンクの二つのアームを容器（２）の第１、第２側壁（１３、１４）の上部に置き、ロック解除装置（１６）を用いて容器（２）と容積減少チャンク（４）とをロックする。容器（２）に人の肩まで湯を入れ、温浴を楽しむことができるようになる。温浴後、フラッシュボード（５）を引き上げて湯を排出させ、それからロック解除装置（１６）を解除し、容積減少チャンク（４）を取り除き、入浴者はフラッシュボードゲート（３）から出る。
【００１８】
図１９を参照する。図１９は、移動式節水・省エネ浴槽（２４）の別の実施の形態である。移動式節水・省エネ浴槽（２４）は、容器（２５）とフラッシュボードゲート（２６）と備える。容器（２５）は、立っている入浴者の肩までに達する高さを有する、直方体形状である。容器（２５）は、第１、第２側壁と、第１、第２端壁及び底部を有し、それらにより容器（２５）が画定される。
【００１９】
第１端壁は、フラッシュボードゲートであり、容器（２５）内面の溝（２８）とフラッシュボード（２９）とを含む。フラッシュボード（２９）は、移動可能であり、溝（２８）に挿入される。水密性リング（３３）は、溝（２８）とフラッシュボード（２９）との間に置かれる。フラッシュボード（２９）は、溝（２８）の底部まで挿入でき、または溝（２８）から引き出すことができる。
【００２０】
フラッシュボードゲート（２６）は、等脚台形であってよく、等脚台形のフラッシュボード（２９）と等脚台形の溝（２８）とを有する（図１１を参照する）。フラッシュボード（２９）は、等脚台形であるため、入浴者は、フラッシュボード（２９）を一定の高さまで引き上げ、溝（２８）の上部まで引き上げなくても、フラッシュボードを溝（２８）から取り出すことができる。水密性リング（３３）は、ゴムまたはプラスチックから作製される。
【００２１】
フラッシュボードゲート（２６）は、矩形であってよく、矩形のフラッシュボード（２９）と矩形の溝（２８）とを有する。フラッシュボード（２９）は平らなものである。フラッシュボード（２９）の横断面は容器（２５）内に向かって凸状である（図７を参照する）。水密性リング（３３）は、ゴムまたはプラスチックから作製される。
【００２２】
入浴者は、フラッシュボードゲート（２６）から節水・省エネ浴槽（２４）に入ると、フラッシュボード（２９）を溝（２８）に挿入し、フラッシュボード（２９）を溝（２８）の底部まで押圧するによって、フラッシュボードゲート（２６）を閉める。立っている入浴者の肩に達するまで容器（２５）に湯を入れ、温浴を楽しむことができるようになる。温浴後、フラッシュボード（２９）を引き上げて湯を排出させ、それから入浴者はフラッシュボードゲート（２６）から出る。
【００２３】
（関連出願の相互参照）
本特許出願は、２０１２年３月１日出願の米国仮特許出願第６１６０５１９０号に対する優先権を主張する。この仮特許出願の内容は本明細書に参照として取り込まれる。
（付記）
（付記１）
第１及び第２側壁と、第１及び第２端壁と、底部とにより画定されて開口された容器を構成し、前記底部上であって前記第２端壁の傍らに配置された段差を有する槽体と、
前記容器の内面の溝と、該溝に挿入される移動可能なフラッシュボードと、前記溝と前記フラッシュボードとの間に設けられる水密性リングと、を含み、前記第１端壁となるフラッシュボードゲートと、
直方体形状であり、前記直方体の幅が前記容器の幅より小さく、前記直方体の高さが前記段差に座る入浴者の脚から前記容器の上部までの距離より小さい容積減少チャンクであって、外部へ延伸した二つのハンギングアームを有し、各ハンギングアームが溝を有し、該溝が前記容器の前記第１及び第２側壁上に位置することによって前記容器内に掛けられる容積減少チャンクと、
前記容積減少チャンクを前記容器にロックし、またはロックを解除して前記容器から前記容積減少チャンクを分離するロック解除装置と、
を備えることを特徴とする移動式節水・省エネ浴槽。
（付記２）
前記容器は、直方体形状であり、前記フラッシュボードゲートは、矩形であることを特徴とする付記１に記載の移動式節水・省エネ浴槽。
（付記３）
前記容器は、直方体形状であり、前記フラッシュボードゲートは、等脚台形であることを特徴とする付記１に記載の移動式節水・省エネ浴槽。
（付記４）
前記矩形のフラッシュボードの横断面は、前記容器内に向かって凸状となることを特徴とする付記２に記載の移動式節水・省エネ浴槽。
（付記５）
前記容積減少チャンクの前記ハンギングアームの溝の幅は、前記容器の前記第１及び第２側壁の幅より大きいことを特徴とする付記２に記載の移動式節水・省エネ浴槽。
（付記６）
前記第１及び第２側壁の上部に溝が設けられ、該溝の幅が前記容積減少チャンクの前記ハンギングアームの幅より大きく、前記ハンギングアームが前記溝に容易に入り、前記ロック解除装置を正しく位置決めすることを特徴とする付記１に記載の移動式節水・省エネ浴槽。
（付記７）
前記容積減少チャンクの直方体は、軽量化のため中空であることを特徴とする付記１に記載の移動式節水・省エネ浴槽。
（付記８）
前記ロック解除装置は、前記容積減少チャンクの側面に固定される第１部分と、前記容器の側面に固定される第２部分とを有し、前記第１部分と前記第２部分とを組み合わせると、前記容積減少チャンクは前記容器にロックされ、前記第１部分と前記第２部分とを離隔させると、前記容積減少チャンクは前記容器から分離されることを特徴とする付記１に記載の移動式節水・省エネ浴槽。
（付記９）
前記ロック解除装置は、スーツケースのスプリングラッチ、ドア及び窓の留め具、フック、一対のスコッチファスナーのいずれかであることを特徴とする付記８に記載の移動式節水・省エネ浴槽。
（付記１０）
前記容器の前記第１及び第２側壁はそれぞれ凸状の肩部を有し、前記移動式節水・省エネ浴槽が普通の浴槽内に設置される場合に、前記凸状の肩部は前記普通の浴槽の側壁上に配置されることを特徴とする付記１に記載の移動式節水・省エネ浴槽。
（付記１１）
シャワー室のシャワーヘッドの下に設置されることを特徴とする付記１に記載の移動式節水・省エネ浴槽。
（付記１２）
第１及び第２側壁と、第１及び第２端壁と、底部とにより画定されて開口された容器を構成する槽体と、
前記容器の内面の溝と、該溝に挿入される移動可能なフラッシュボードと、前記溝と前記フラッシュボードとの間に設けられる水密性リングと、を含み、前記第１端壁となるフラッシュボードゲートと、
を備えることを特徴とする移動式節水・省エネ浴槽。
（付記１３）
前記容器の形状は、直方体であり、前記フラッシュボードは、等脚台形であり、前記直方体の高さは、入浴者の肩までに達することを特徴とする付記１２に記載の移動式節水・省エネ浴槽。
（付記１４）
前記容器の形状は、直方体であり、前記フラッシュボードは矩形であり、前記直方体の高さは、入浴者の肩にまで達することを特徴とする付記１２に記載の移動式節水・省エネ浴槽。
【図１】
0006259193.tif 000002
【図２】
0006259193.tif 000003
【図３】
0006259193.tif 000004
【図４】
0006259193.tif 000005
【図５】
0006259193.tif 000006
【図６】
0006259193.tif 000007
【図７】
0006259193.tif 000008
【図８】
0006259193.tif 000009
【図９】
0006259193.tif 000010
【図１０】
0006259193.tif 000011
【図１１】
0006259193.tif 000012
【図１２】
0006259193.tif 000013
【図１３】
0006259193.tif 000014
【図１４】
0006259193.tif 000015
【図１５】
0006259193.tif 000016
【図１６】
0006259193.tif 000017
【図１７】
0006259193.tif 000018
【図１８】
0006259193.tif 000019
【図１９】
0006259193.tif 000020